【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
送信子から超音波を試験体に送信することにより試験体に板波を発生させ、試験体を伝搬する板波を受信子で受信することにより板波の伝搬経路における試験体を試験する超音波試験方法であって、
前記送信子及び受信子は気体を介して超音波を送信又は受信するものであり、前記送信子と受信子との間に他の受信子又は送信子である他の探触子を配置し、試験体表面上に接触する支持脚を有すると共に試験体表面に対するこの他の探触子の角度を一定に保持する探触子保持機構に他の探触子を保持させ、前記支持脚を前記送信子から受信子に至る板波の伝搬経路外の位置で前記試験体表面に接触させて、前記他の探触子を前記伝搬経路に対し非接触で跨がせ、前記板波を前記他の探触子下を通過させると共に前記他の探触子で超音波を送信又は板波を受信する超音波試験方法。
【請求項２】
送信子から超音波を試験体に送信することにより試験体に板波を発生させ、試験体を伝搬する板波を受信子で受信することにより板波の伝搬経路における試験体を試験する超音波試験方法であって、
前記送信子及び受信子は気体を介して超音波を送信又は受信するものであり、前記送信子から送信された往路板波は試験対象部で反射し、その反射による反射板波を前記受信子により受信し、試験体表面上に接触する支持脚を有すると共に試験体表面に対する送信子又は受信子である探触子の角度を一定に保持する探触子保持機構に前記探触子を保持させ、前記支持脚を前記往路板波及び反射板波の伝搬経路外の位置で前記試験体表面に接触させて、前記探触子を前記往路板波及び反射板波の伝搬経路に対し非接触で跨がせ、前記往路板波及び／又は反射板波を前記探触子下を通過させると共に前記探触子で超音波を送信又は板波を受信する超音波試験方法。
【請求項３】
前記探触子が焦点型探触子である請求項１又は２記載の超音波試験方法。
【請求項４】
前記試験体を分岐させ、分岐させた各試験体部分に前記受信子をそれぞれ配置した請求項１〜３のいずれかに記載の超音波試験方法。
【請求項５】
前記板波の伝搬経路方向に直交する方向に対し前記試験体と送信子及び受信子とを相対移動させて試験を行う請求項１〜３のいずれかに記載の超音波試験方法。
【請求項６】
前記板波の伝搬経路方向に沿う方向に対し前記試験体と送信子及び受信子とを相対移動させて試験を行う請求項１〜３のいずれかに記載の超音波試験方法。
【請求項７】
請求項１〜６のいずれかに記載の超音波試験方法に用いる超音波試験装置であって、前記探触子保持機構を前記送信子及び受信子毎に設け、各探触子保持機構を支持フレームに取り付け、各探触子保持機構の支持脚を前記試験体表面に接触させるように支持フレームに対し押圧する押圧体を備えた超音波試験装置。
【請求項８】
請求項１〜６のいずれかに記載の超音波試験方法に用いる超音波試験装置であって、前記探触子保持機構を前記送信子及び受信子毎に設け、前記支持脚を前記各探触子保持機構毎に少なくとも板波の伝搬方向に対して隔てて配置し、前記各探触子保持機構を支持フレームに取り付け、前記支持フレームと前記各探触子保持機構との間に前記支持フレームに対して少なくとも前記伝搬方向に直交する軸周りで前記送信子及び受信子を揺動させる揺動機構を設け、各探触子保持機構の支持脚を前記試験体表面に接触させるように支持フレームに対し押圧する押圧体を備えた超音波試験装置。
【請求項９】
請求項１〜６のいずれかに記載の超音波試験方法に用いる超音波試験装置であって、前記支持脚が前記試験体と前記各送信子及び受信子との相対移動方向に対する転動を許容する車輪を有している超音波試験装置。
【手続補正２】
【補正対象書類名】明細書
【補正対象項目名】０００８
【補正方法】変更
【補正の内容】
【０００８】
上記目的を達成するため、本発明に係る超音波試験方法の特徴は、送信子から超音波を試験体に送信することにより試験体に板波を発生させ、試験体を伝搬する板波を受信子で受信することにより板波の伝搬経路における試験体を試験する方法において、
前記送信子及び受信子は気体を介して超音波を送信又は受信するものであり、前記送信子と受信子との間に他の受信子又は送信子である他の探触子を配置し、試験体表面上に接触する支持脚を有すると共に試験体表面に対するこの他の探触子の角度を一定に保持する探触子保持機構に他の探触子を保持させ、前記支持脚を前記送信子から受信子に至る板波の伝搬経路外の位置で前記試験体表面に接触させて、前記他の探触子を前記伝搬経路に対し非接触で跨がせ、前記板波を前記他の探触子下を通過させると共に前記他の探触子で超音波を送信又は板波を受信することにある。
【手続補正３】
【補正対象書類名】明細書
【補正対象項目名】０００９
【補正方法】変更
【補正の内容】
【０００９】
また、本発明に係る超音波試験方法の他の特徴は、送信子から超音波を試験体に送信することにより試験体に板波を発生させ、試験体を伝搬する板波を受信子で受信することにより板波の伝搬経路における試験体を試験する方法において、
前記送信子及び受信子は気体を介して超音波を送信又は受信するものであり、前記送信子から送信された往路板波は試験対象部で反射し、その反射による反射板波を前記受信子により受信し、試験体表面上に接触する支持脚を有すると共に試験体表面に対する送信子又は受信子である探触子の角度を一定に保持する探触子保持機構に前記探触子を保持させ、前記支持脚を前記往路板波及び反射板波の伝搬経路外の位置で前記試験体表面に接触させて、前記探触子を前記往路板波及び反射板波の伝搬経路に対し非接触で跨がせ、前記往路板波及び／又は反射板波を前記探触子下を通過させると共に前記探触子で超音波を送信又は板波を受信することにある。
【手続補正４】
【補正対象書類名】明細書
【補正対象項目名】００１０
【補正方法】変更
【補正の内容】
【００１０】
上記各特徴方法において、前記探触子が焦点型探触子であってもよい。また、前記試験体を分岐させ、分岐させた各試験体部分に前記受信子をそれぞれ配置することができる。
【手続補正５】
【補正対象書類名】明細書
【補正対象項目名】００３５
【補正方法】削除
【補正の内容】
【手続補正６】
【補正対象書類名】明細書
【補正対象項目名】００３６
【補正方法】削除
【補正の内容】
【手続補正７】
【補正対象書類名】明細書
【補正対象項目名】００３９
【補正方法】変更
【補正の内容】
【００３９】
【図１】本発明の試験方法を示し、（ａ）は側面図、（ｂ）は（ａ）のＡ−Ａ方向側面図、（ｃ）は（ａ）のＢ−Ｂ方向側面図、（ｄ）は他の試験方法を示す側面図、は（ｅ）他の試験方法を示す側面図である。
【図２】本発明の第一実施形態の一部断面部を有する側面図である。
【図３】図２のＣ−Ｃ方向の一部断面部を有する側面図である。
【図４】第一実施形態の他の試験方法を説明する側面図である。
【図５】本発明の試験装置の概略図である。
【図６】本発明の試験装置における、各板波のモード（符号Ａ０〜５、Ｓ０〜７）についての超音波の周波数と試験体の厚さとの積と、入射角度との関係を示すグラフである。
【図７】受信した漏洩波の波形を示すグラフで、上段がきずなし、下段がきずありの状態を試験したグラフである。
【図８】第二実施形態の試験装置の部分断面図である。
【図９】第三実施形態の試験装置の部分側面図である。
【手続補正８】
【補正対象書類名】図面
【補正対象項目名】図１０
【補正方法】削除
【補正の内容】
【手続補正９】
【補正対象書類名】図面
【補正対象項目名】図１１
【補正方法】削除
【補正の内容】